(57)【要約】  本発明は、それぞれ個々の足場構成要素から組み立てられることになる足場ユニットを用いることにより、工業プラント、特に石油精製施設を建設する方法を対象としており、以下の：工業プラントの建設物構造を記録した３Ｄ構造図を提供するステップと；３Ｄ構造図を、工業プラントの少なくとも一つの建設物構造に関して修正することにより所定の足場ユニットを使用することを含め、工業プラントの３Ｄ構造図中に、工業プラントの建設に使用されることになる足場ユニットを製図するステップと；修正された構造図に従い、そして３Ｄ構造図中に製図された足場ユニットの使用により、工業プラントを建設するステップと、を含む。本発明に係る方法により、あらゆる工業プラントの建設中に生じる足場費用の大幅な削減が実現可能になる。本発明に係る本方法の費用節約効果は、異なるまたは等しい設計であってもよい所定の足場ユニットを使用するために構造図を修正することにより、考えられるあらゆる場所でさらに高めることができる。【選択図】図３
2019513252.tif 000002
【特許請求の範囲】
【請求項１】
それぞれ個々の足場構成要素から組み立てられることになる足場ユニットを用いて、工業プラント、特に石油精製施設を建設する方法であって、以下の：
前記工業プラントの建設物構造を記録する３Ｄ構造図を提供するステップと；
前記工業プラントの前記３Ｄ構造図中に、前記工業プラントの建設に使用されることになる足場ユニットを製図するステップであって、前記３Ｄ構造図を、前記工業プラントの少なくとも一つの建設物構造に関して修正することにより、所定の足場ユニットを使用するステップと；
前記修正された構造図に従い、そして前記３Ｄ構造図中に製図された前記足場ユニットの使用により、前記工業プラントを建設するステップと、
を含む方法。
【請求項２】
前記３Ｄ構造図を、前記建設物構造の空間的な配置、サイズ、および／または建設に関して修正する、請求項１に記載の方法。
【請求項３】
前記３Ｄ構造図を、流体管路として、または電線路として設計される建設物構造に関して修正する、請求項１に記載の方法。
【請求項４】
前記流体管路の溶接線を、前記所定の足場ユニットの使用により形成すことができるように再配置する、請求項３に記載の方法。
【請求項５】
前記構造図を、前記工業プラントの耐荷重建設物構造に関して修正する、請求項１に記載の方法。
【請求項６】
前記少なくとも一つの建設物構造が、前記所定の足場ユニットのための支点を備えている、請求項５に記載の方法。
【請求項７】
前記所定の足場ユニットが、好ましくはレールにより案内される摺動する足場ユニットである、請求項１に記載の方法。
【請求項８】
前記３Ｄ構造図を、前記工業プラントのいくつかの建設物構造に関して修正することにより、複数の所定の足場ユニットを使用する、請求項１に記載の方法。
【請求項９】
前記３Ｄ構造図の提供と、前記３Ｄ構造図の修正を含め前記３Ｄ構造図中の前記足場ユニットの製図とを、コンピュータにインストールされたソフトウェアを用いて実行する、請求項１に記載の方法。
【請求項１０】
前記工業プラントの前記３Ｄ構造図における、前記工業プラントの建設に使用されることになる前記足場ユニットの少なくとも一部を、前記ソフトウェア内で予め定義された様々に異なる足場ユニットから選択する、請求項９に記載の方法。
【請求項１１】
前記ソフトウェア内で予め定義されている前記足場ユニットをすべて、互いに互換性のある製造者固有の足場プログラムまたはシステムに属する足場部品から組み立てることができる、請求項１０に記載の方法。
【発明の詳細な説明】
【技術分野】
【０００１】
関連出願の相互参照
なし。
【０００２】
本発明は、工業プラント、特に石油精製施設を建設する方法に関する。
【背景技術】
【０００３】
工業プラントの表面積は概して、最高で数平方マイルを占め、このことから、全体の建設計画を多数の区画にグループ化する必要があり、この場合、建設作業は、同時におよび／または順番になされる。大規模工業プラント、例えば石油精製施設または化学工業向けのその他のタイプのプラントの建設には、使用されることになる足場ユニットの組み立てのために非常に多岐にわたる足場部品が要求されている。
【０００４】
建設作業には、詳細な構造図が必須であり、これらは現在では、三次元（３Ｄ）図として提供されるのが普通である。これらの構造図は特に、計画された工業プラントのあらゆる建設物構造に関する、特に、建設物、反応器、分解装置（ｃｒａｃｋｅｒ）、熱分解装置（ｃｏｋｅｒ）、流体移送用の配管、電気設備等に関する情報を含んでいる。
【０００５】
足場および現場で提供される足場作業にかかる総費用は、工業プラント建設における総費用に顕著に寄与する。さらに、経験から、工業プラントの建設中の足場に伴って生じる実際の費用は、計画された費用を大幅に超過する傾向がある。
【発明の概要】
【課題を解決するための手段】
【０００６】
したがって、足場費用をさらに削減することができる、工業プラントを建設する改良された方法を提供することが、本発明の目的である。
【０００７】
それぞれが個々の足場構成要素から組み立てられることになる足場ユニットを用いて、工業プラント、特に石油精製施設を建設する本発明に係る方法は、以下の：
ａ）  工業プラントの建設物構造を記録した３Ｄ構造図を提供し、それを示すステップ；
ｂ）  工業プラントの建設に使用されることになる足場ユニットを工業プラントの３Ｄ構造図中に製図し、工業プラントの少なくとも一つの建設物構造に関して３Ｄ構造図を修正することにより所定の足場ユニットに使用するステップ；および
ｃ）  修正された構造図に従い、そして３Ｄ構造図中に製図された足場ユニットを使用することにより、工業プラントを建設するステップ、を含む。
【０００８】
工業プラントの実際の建設に使用されることになる足場ユニットの製図と、少なくとも一つの所定の足場ユニットを使用するための構造図の修正とにより、これ以外で必要なさらに単純な建設の足場ユニットを使用することが可能になる。それによって、所定の足場ユニットの立ち上げおよび／または取り外しに必要な全時間を削減することができる。これにより、費用面の利点が得られる。これらの効果は実際には、複数の所定の足場ユニットを使用するためにいくつかの建設物構造に関して構造図を修正することにより、相乗的に高まる可能性がある。前述の足場ユニットは、同一のまたは異なる設計のものであってもよいことが理解される。後者の場合には、前記足場ユニットは、同一のまたは異なる数の足場部品または足場構成要素、特に、同一設計のものから成っていてもよい。
【０００９】
本発明の好ましい実施形態によれば、３Ｄ構造図は、建設物構造の空間的な配置、サイズ、および／または建設に関して修正される。
【００１０】
建設物構造の空間的な配置に関して、前記建設物構造は、構造図中に図示されたその元の場所と比較した場合に、例えば横方向に移動してもよい。また、建設物構造の水平面調整が可能な場合がある。さらに、他の建設物構造に対する建設物構造の空間的な向きを修正することによって、所定の足場ユニットを、構造図中で、そして建設作業中の建設現場上で、調整してもよい。
【００１１】
これらの措置により、例えば決まった高さ、幅、または長さを有する所定の足場ユニットを一体化して構造図中に製図してもよく、工業プラントの実際の建設中、建設に使用することができる。
【００１２】
本発明の好ましい実施形態によれば、３Ｄ構造図は、流体管路として、または電線路として設計される建設物構造に関して修正される。流体管路は、工業プラント、特に化学プラントの必須構成要素であり、石油、水、ガス、および同種のものを、一製造工程の現場から別の現場、または例えば貯蔵タンクに輸送するのに普通に使用される。そのような工業用流体管路は、最高で２０フィートの直径を有している場合があり、地面より上のいくつかの階を通っている場合がある。そのような流体管路を数インチまたは数フィートだけ再配置させることにより、これらの措置がない場合よりも大幅に単純で費用対効果のさらに高い所定の足場ユニットを使用することが可能になる場合がある。
【００１３】
本発明のさらなる実施形態によれば、前述の流体管路の溶接線を、所定の足場ユニットを使用して形成できるように再配置することができる。特に、石油精製施設、またはその他の化学プラントを建設するには、工業プラントのための全体的な足場費用をこの措置だけで大幅に削減することができるようするために、そうした多数の流体管路用溶接線が必要となる。
【００１４】
本発明のさらなる実施形態によれば、構造図の修正を、工業プラントの耐荷重建設物構造に関して行う。耐荷重構造は特に、基礎、鋼および／またはコンクリート製の支柱、または縦／横の梁であってもよい。
【００１５】
本発明のさらなる実施形態によれば、そうした少なくとも一つの建設物構造は、所定の足場ユニットのための支点を備えている。建設物構造に支点を備え付けることには、建設物構造の構造寸法を修正して、所定の足場ユニットの支持に要求されるその耐荷重力を増加させることが伴っている場合がある。
【００１６】
本発明によれば、所定の足場ユニットは有利には、レールにより案内されてもよい摺動する足場ユニットとして設計される。特に、前述の支点は、レールにより案内される足場ユニットのための前記レールを支持する働きをしてもよい。
【００１７】
本発明のさらなる実施形態によれば、３Ｄ構造図の提供、および３Ｄ構造図中の足場ユニットの製図は、３Ｄ構造図の修正を含め、コンピュータにインストールされたソフトウェアにより行われる。このように３Ｄ構造図は、ソフトウェアを使って見ることのできる電子的なコンピュータ読み取り可能形式で提供される。
【００１８】
本発明の好ましい実施形態によれば、本方法は、予め定義された範囲での異なる足場ユニットをソフトウェア上で提供すること、および使用することになる足場ユニットの少なくとも一部を選択しこれをもとに工業プラントを建設することを含む。これにより、３Ｄ構造図中の個々の足場ユニットの製図は、容易になり大幅に速やかに実行することができる。
【００１９】
本発明の実施形態によれば、工業プラントの建設に使用されることなる足場ユニット、特に、ソフトウェア中であらかじめ定義されたものはすべて、互いに互換性のある、そして製造者固有の足場タイプまたはシステムに属する足場部品から組み立てることができる。
【００２０】
本発明の性質および目的のより完全な理解のために、添付図面と関連させて以下の詳細な記載を参照するものとするが、その場合：
【図面の簡単な説明】
【００２１】
【図１】工業プラント、特に石油精製施設を建設する本発明に係る方法の概略図であり；
【図２】図１に係る方法に使用されるコンピュータを示し；そして
【図３】工業プラントの建設に使用されることになる足場ユニットの例示的な図を示す。
【発明を実施するための形態】
【００２２】
以下、図１を参照するが、この図は、本発明に従ってそれぞれ個々の足場構成要素から組み立てられることになる足場ユニットを用いて、工業プラント、特に石油精製施設を建設する方法の概略図を示す。足場ユニットは、基本的には仮のおよび／もしくは可動なプラットフォームまたは構造であり、階または地面から高い場所で作業する間、その上に人が立ったり座ったりするものである。足場ユニットは、それぞれの場合、安全要件が満たされるように互いに互換性のある多様な足場要素から組み立てられる。図１における参照番号１００により概して指示される本発明にかかる方法は、以下のステップを含む：
【００２３】
第１のステップ１０２は、工業プラント１２の３Ｄ構造図１０を提供することを含む。ステップ１０２では、３Ｄ構造図１０は好ましくは、コンピュータ読み取り可能な電子形式で提供される。それによって、３Ｄ構造図１０は好都合には、図２に示すコンピュータ１６にインストールされている適切なコンピュータ（グラフィクス）ソフトウェア１４により、全体的に、そして詳細に、使用者向けに可視化されてもよい。コンピュータ１６が、前記コンピュータソフトウェア１４を記憶するのに適切な記憶媒体を特徴とすることは言うまでもない。構造図１０では、計画された工業プラント１２の建設物構造１８、例えば、建設物、およびそれらの構成部分、コンクリート／鋼製の柱、流体管路、特に配管、電線路、およびあらゆる関連したさらなる設備は、詳細にそして三次元形式で示される。
【００２４】
本発明に係る方法１００の次のステップ１０４は、工業プラント１２の建設に使用されることになる足場ユニット２０、２０’を３Ｄ構造図１０中に製図することと、所定の足場ユニット２０、２０’を使用するために工業プラント１２の少なくとも一つの建設物構造１８に関して３Ｄ構造図１０を修正することとを含む。３Ｄ構造図１０中の足場ユニット２０、２０’の製図は特に、コンピュータにインストールされたソフトウェア１４を用いて行うことができる（図２）。それによって使用者は、実例として、容易に構造図１０をズームして、計画された工業プラント１２の様々な建設物構造１８の詳細な３Ｄ図にしてもよい。さらに、所定の足場ユニット２０、２０’の使用に抵触する建設物構造１８を、それによって容易にそして速やかに理解することができる。また、本発明に係るコンピュータソフトウェア１４は好ましくは、異なる（基本）構造の様々な足場ユニットを有するデータベース２２を含む。これらの足場ユニットは、それぞれ互いに互換性のある足場構成要素から組み立てられ、安全上の理由から、好ましくはすべて製造者固有の足場システムである。工業プラント１２の建設に使用されることになる足場ユニット２０、２０’の少なくとも一部は続いて、ソフトウェアにより提供されたデータベースから使用者が容易に選択して、工業プラント１２の３Ｄ構造図１０中に製図してもよい。このために、ソフトウェア１４は有利には、いわゆるドラッグ・アンド・ドロップ操作をサポートしている。コンピュータソフトウェア１４はさらに、３Ｄ構造図中に製図された変更足場ユニット２０、２０’を、それらの組み立てに必要なそれらの足場構成要素２４の数を自動的に調節しつつ、少なくともそれらの寸法に関して変更できるように、好ましくはプログラムされており、そしてそれらは、それぞれ構造図中で可視化されてもよい。本発明に従って、３Ｄ構造図１０中で足場ユニット２０、２０’を変更することはさらに、実例として、足場ユニット２０、２０’を、図２に示す周辺コンピュータ装置２３、特にコンピュータのマウスを用いてクリックおよびドラッグすることにより実行してもよい。
【００２５】
図３では、工業プラント１２の建設に使用されることになる前記所定の足場ユニット２０、２０’の二つの例示的な設計を示す。所定の足場ユニット２０は、工業プラント１２の建設に使用されることになるあらゆるその他の足場ユニット２０と同様に、足場構成要素２４、例えば鉛直ポスト２４ａ、作業用プラットフォーム２４ｂ、横材２４ｃ、階段２４ｄ、ハンドレール２４ｅ、調節可能な足２４ｆ等を具備していてもよい。示された足場ユニット２０により、作業者は工業プラント１２の建設物構造１８上で建設作業を実行することが可能になる。建設物構造１８は、実例として、（例えばコンクリートの）壁１８ａ、流体管路１８ｂ、または耐荷重性のコンクリートもしくは鋼製の柱１８ｃとして形成してもよく、これらは、実例として、屋根または工業プラントの床材の支持体として働くことがあるものである。
【００２６】
工業プラント１２の３Ｄ構造図１０は、実例として、建設物構造１８の空間的な配置に関して修正することができる。実例として、図３に示す流体管路１８ｂ、柱１８ｃ、または壁を脇に再配置して、所定の足場ユニット２０を、３Ｄ構造図１０中に製図することができるように、そして工業プラント１２の建設に使用することができるようにしてもよい。あるいは、それぞれの建設物構造１８のサイズを、所定の足場ユニット２０、２０’を使用するために変更してもよい。さらに、それぞれの建設物構造１８を、その建設に関して変更してもよい。実例として、工業プラントの３Ｄ構造図に従って３Ｄ構造図にもともと記録されている、図３に示す流体管路１８ｂの溶接線２６を、示された足場ユニットのいかなる作業プラットフォームにより支持される作業者が形成できる可能性はない。それゆえ、本発明に従って、例えばさらに高い位置に溶接線２６を再配置して、図３に例示のとおり、所定の足場ユニット２０の使用により作業者が容易にそして安全にその溶接線を形成することができるようにしてもよい。
【００２７】
さらに、建設物構造１８は、特に、図３に示すとおり柱１８ｃとして構造化された場合には、所定の足場ユニット２０’のための支点２８を備えていてもよい。所定の足場ユニット２０’は、実例として、レールにより案内される足場ユニット２０’として形成されてもよく、これは、図３において破線で模式的に示すとおりである。
【００２８】
本発明に係る方法１００の費用削減効果は、３Ｄ構造図１０が複数の所定の足場ユニット２０、２０を使用するために工業プラント１２のいくつかの建設物構造１８に関して修正されるならば、強化される場合があることを理解する必要がある。
【００２９】
本発明によれば、方法１００はさらに、修正された構造図１０に従う、そして３Ｄ構造図１０中に製図された足場ユニット２０、２０’の使用による、工業プラントの建設ステップ１０６を含む。
【００３０】
上記のとおりの本発明に係る方法１００は全体として、計画された工業プラント１２の一つまたは複数の建設物構造１８に小さな修正を行い、それによって、所定の足場ユニット２０、２０’を使用できるようにするという根本概念に基づいており、これらの足場ユニットは、そのような修正をしない建設作業に必要となり得る足場ユニットと比較して、特定の簡単な構造のものであってもよいもの、および／またはさらに時間効率のよいやり方により組み立て／解体してもよいもの、および／またはこの場合のように、実例として、レールにより案内される摺動する足場ユニットにおける使用のさらに広い選択肢を提供してもよいものである。
【図１】
2019513252.tif 000003
【図２】
2019513252.tif 000004
【図３】
2019513252.tif 000005
【国際調査報告】
2019513252.tif 000006
2019513252.tif 000007